(57)【要約】【課題】ブローイング工法において施工の手間を軽減することができる建築用シートおよびこの建築用シートを用いた断熱材封入方法を提供する。【解決手段】屋内の壁を形成する際に該壁を支える複数の柱の間に張設され、該複数の柱の間の空間に吹き込まれた断熱材を保持する建築用シート１において、水蒸気を通さない第１の領域および該第１の領域より気密性が低い第２の領域（１２）が設けられた一または複数のシートから成る保持部（１１）と、前記第２の領域に重ね合わせ可能な覆い部（１３）とを備え、前記覆い部は、前記第２の領域に重ね合わせられて該第２の領域の気密性を高めるものであることを特徴とする。【選択図】        図６
2011256649.tif 000002
【特許請求の範囲】
【請求項１】
屋内の壁を形成する際に該壁を支える複数の柱の間に張設され、該複数の柱の間の空間に吹き込まれた断熱材を保持する建築用シートにおいて、
水蒸気を通さない第１の領域および該第１の領域より気密性が低い第２の領域が設けられた一または複数のシートから成る保持部と、
前記第２の領域に重ね合わせ可能な覆い部とを備え、
前記覆い部は、前記第２の領域に重ね合わせられて該第２の領域の気密性を高めるものであることを特徴とする建築用シート。
【請求項２】
前記第２の領域は、孔が形成されたものであることを特徴とする請求項１記載の建築用シート。
【請求項３】
前記第２の領域が、ネットで形成されたものであることを特徴とする請求項１又は２記載の建築用シート。
【請求項４】
前記第１の領域が、一または複数の気密性シートによって形成された領域であり、
前記第２の領域が、前記第１の領域を形成する気密性シートに孔が形成された領域であることを特徴とする請求項２記載の建築用シート。
【請求項５】
前記第２の領域は、形成された孔の総面積が、前記断熱材を保持する面積に対して２．５％以上６．０％以下のものである特徴とする請求項２記載の建築用シート。
【請求項６】
前記第１の領域の一部および前記覆い部を、屋内側に位置して形成する第１シート体を有することを特徴とする請求項１から５のいずれか１項記載の建築用シート。
【請求項７】
前記第１領域のうち前記第１シートに含まれる領域以外の部分と前記第２領域を、前記空間側に位置して形成する一または複数のシート状部材からなる第２シート体を有することを特徴とする請求項６記載の建築用シート。
【請求項８】
前記第１シート体と前記第２シート体とが接着されてなるものであることを特徴とする請求項７記載の建築用シート。
【請求項９】
前記第２の領域は、一方向に延びる帯状の領域であり、
前記覆い部は、前記第２の領域に沿って配置された帯状のものであることを特徴とする請求項１から８のいずれか１項記載の建築用シート。
【請求項１０】
前記第２の領域およびこれを覆う前記覆い部の組合せが、該組合せの延在方向が平行になるように間隔をあけて複数設けられていることを特徴とする請求項９記載の建築用シート。
【請求項１１】
請求項１から１０のいずれか１項記載の建築用シートを用いて、屋内の壁を形成する際に該壁を支える複数の柱の間の空間に断熱材を封入する断熱材封入方法であって、
前記建築用シートを前記柱の間に張設する張設ステップと、
前記断熱材を前記空間内に充填する充填ステップと、
前記覆い部を前記第２の領域に重ね合わせる密封ステップとを有することを特徴とする断熱材封入方法。
【発明の詳細な説明】
【技術分野】
【０００１】
屋内の壁を形成する際に該壁を支える複数の柱の間に張設され、該複数の柱の間の空間に吹き込まれた断熱材を保持する建築用シートおよび、この建築用シートを用いた断熱材封入方法に関する。
【背景技術】
【０００２】
家の断熱効果を高め冷暖房の効率をよくするための工法の一つとして、断熱材を吹き込むブローイング工法がある。この工法は、空気と共に吹き出させた断熱材を後に壁となる空間に充填する方法であり、この空間が柱と柱の間に筋交いを設けたときにできる狭い空間であっても断熱材を隙間なく充填して断熱効果を高めることができる。現在、この充填作業を効率よくするための技術が提案されている（例えば、特許文献１）。
【先行技術文献】
【特許文献】
【０００３】
【特許文献１】特開平９−３２１４３号公報
【発明の概要】
【発明が解決しようとする課題】
【０００４】
ブローイング工法では、後に壁となる空間に断熱材を充填する際に、断熱材が充填される空間を不織布等の通気性の高いシートで一旦覆うことによって、断熱材と共に吹き出す加圧送給空気をそのシートの通気性を利用して排出させている。その後、充填された断熱材が家の内部の空気に触れないように、密閉性の高いシートで覆っている。すなわち、通気性の高いシートと密閉性の高いシートの合計２枚のシートを施工するため手間がかかる。上記特許文献１には、断熱材の大きさを限定して吹き込みやすくする技術が開示されているものの、上記手間を軽減させるには至っていない。
【０００５】
上記課題に鑑み本発明は、ブローイング工法において施工の手間を軽減することができる建築用シートおよびこのシートを用いた断熱材封入方法を提供することを目的とする。
【課題を解決するための手段】
【０００６】
上記課題を解決するため、本発明の建築用シートは、
屋内の壁を形成する際にその壁を支える複数の柱の間に張設され、その複数の柱の間の空間に吹き込まれた断熱材を保持する建築用シートにおいて、
水蒸気を通さない第１の領域およびその第１の領域より気密性が低い第２の領域が設けられた一または複数のシートから成る保持部と、
上記第２の領域に重ね合わせ可能な覆い部とを備え、
上記覆い部は、上記第２の領域に重ね合わせられてその第２の領域の気密性を高めるものであることを特徴とする。
【０００７】
この建築用シートによれば、ブローイング工法において断熱材とともに吹き出す加圧送給空気を上記第２の領域から排出させ、かつ補助シートを本体シートに重ねることによって断熱材を気密性の高いシートで覆うことができる。
【０００８】
なお、ここでいう柱とは、間柱や胴縁の他、通し柱、管柱などの建材であってもよい。また、建材の素材を限定するものではなく、例えば木製の柱であっても、鉄骨であってもよい。
【０００９】
ここで、上記建築用シートは、
上記第２の領域が、孔が形成されたものであってもよい。
【００１０】
この建築用シートによれば、第２の領域に形成された孔から加圧送給空気を排出させることができる。
【００１１】
また、上記建築用シートは、
上記第２の領域が、ネットで形成されたものであってもよい。
【００１２】
この建築用シートによれば、ネットを組み合わせて断熱材を吹き込む際の加圧送給空気を排出させることができる。
【００１３】
さらに、上記建築用シートは、
上記第１の領域が、一または複数の気密性シートによって形成された領域であり、
上記第２の領域が、上記第１の領域を形成する気密性シートに孔が形成された領域であってもよい。
【００１４】
この建築用シートによれば、上記第２の領域と上記第１の領域を一体に成形することができる。
【００１５】
また、上記建築用シートは、
上記第２の領域は、形成された孔の総面積が、上記断熱材を保持する面積に対して２．５％以上６．０％以下のものであってもよい。
【００１６】
この建築用シートによれば、ブローイング工法で断熱材とともに吹き出される加圧送給空気を排出させつつ、断熱材を適切に充填することができる。なお、上記断熱材を保持する面積とは、例えば隣り合う柱の互いに対向する縁と縁の間の面積になる。
【００１７】
加えて、上記建築用シートは、
上記第１の領域の一部および上記覆い部を、屋内側に位置して形成する第１シート体を有するものであってもよい。
【００１８】
この建築用シートによれば、密閉性の高い第１シート体を柱と柱の間に張設することにより、充填後の上記第２領域の状態の如何に関わらず断熱材を保持することができる。
【００１９】
さらに加えて、上記建築用シートは、
上記第１領域のうち上記第１シートに含まれる領域以外の部分と上記第２領域を、上記空間側に位置して形成する一または複数のシート状部材からなる第２シート体を有するものであってもよい。
【００２０】
また、上記建築用シートは、
上記第１シート体と上記第２シート体とが接着されてなるものであってもよい。
【００２１】
さらに、上記建築用シートは、
上記第２の領域が、一方向に延びる帯状の領域であり、
上記覆い部が、上記第２の領域に沿って配置された帯状のものであってもよい。
【００２２】
この建築用シートによれば、第２の領域が帯状であるため、ロール状にした建築用シートを提供することができる。
【００２３】
加えて、上記建築用シートは、
上記第２の領域およびこれを覆う上記覆い部の組合せが、その組合せの延在方向が平行になるように間隔をあけて複数設けられているものであってもよい。
【００２４】
この建築用シートによれば、断熱材を複数の箇所に充填する場合に、断熱材が充填される空間を一度に仕切ることができる。
【００２５】
上記課題を解決するため、本発明の断熱材封入方法は、
上記の建築用シートを用いて、屋内の壁を形成する際にその壁を支える複数の柱の間の空間に断熱材を封入する断熱材封入方法であって、
上記建築用シートを上記柱の間に張設する張設ステップと、
上記断熱材を上記空間内に充填する充填ステップと、
上記覆い部を上記第２の領域に重ね合わせる密封ステップとを有することを特徴とする。
【００２６】
この断熱材封入方法によれば、ブローイング工法において上記建築用シートを用いることにより、少ない手間で断熱材を封入することができる。
【発明の効果】
【００２７】
本発明によれば、ブローイング工法において施工の手間を軽減することができる建築用シートおよびこのシートを用いた断熱材封入方法を提供することができる。
【図面の簡単な説明】
【００２８】
【図１】ブローイング工法が施工される場所の一例を示す図である。
【図２】断熱材を充填する空間が仕切られた様子を示す図である。
【図３】断熱材が充填されている様子を示す断面図である。
【図４】ネットに開けた孔まで断熱材が積もった状態を示す図である。
【図５】断熱材が空間内に充填された様子を示す図である。
【図６】本実施形態の建築用シートの外観を示す図である。
【図７】本実施形態の建築用シートの構成を示す図である。
【図８】本実施形態の建築用シートを使用している様子を示す図である。
【図９】本実施形態の建築用シートを施工し終えた様子を示す図である。
【図１０】本実施形態の建築用シートを使用した実験の結果を表で示す図である。
【図１１】本実施形態の建築用シートの変形例を示す断面図である。
【図１２】図１１とは異なる、建築用シートの変形例を示す断面図である。
【発明を実施するための形態】
【００２９】
以下、本発明の建築用シートを説明するにあたり、まず、ブローイング工法の大まかな手順について説明する。
【００３０】
ブローイング工法では、後に壁となる空間に断熱材を充填する際に、断熱材が充填される空間を通気性ネット（エアー抜きネットとも言う）で覆う。この通気性ネットによって、断熱材を吹き込む際の加圧送給空気を排出させながら断熱材だけを充填することができる。この通気性ネットには、一般的にナイロン製、テトロン性、ポリプロピレン製等の化学繊維をネット状にした物が使われるが、他の素材であっても例えば不織布、および通気ネットと不織布の複合材のように、断熱材充填に関わる応力に耐えうる通気性の素材であればよい。
【００３１】
断熱材の充填後、室内外の温度や湿度によって湿害が発生しないように、防露目的のため、上記通気性ネットの上を防湿気密シートで覆う。以下、この手順についての詳細を図面を用いて説明する。
【００３２】
図１は、ブローイング工法が施工される場所の一例を示す図である。
【００３３】
この図には、家の土台ＢＡと、この土台ＢＡに嵌っている２本の柱ＰＩ、およびこれらの柱に嵌っている梁ＢＥが示されている。これらの土台ＢＡ、柱ＰＩ、梁ＢＥは木製であり、これらの建材によって囲まれた空間に断熱材が充填された後、壁が形成される。ここでいう断熱材とは、熱伝導を妨げる断熱性能を保持した素材であって、かつ加圧送給空気によって吹き込むことが可能なものをいう。例えばグラスウール、ロックウール、セルロースファイバーのような繊維系吹き込み断熱材、ウレタン発泡体破砕物、ポリスチレン発泡体破砕物等のブローイング工法に適した塊状あるいは粒状の断熱材がこれに相当するが、他の材質であっても上記要件および吹き込み装置の稼働に支障ない物で断熱性能を満たすものであればよい。また、ここでいう柱とは、間柱や通し柱等の建材を意味するものであり、以降の説明では特に記載のない限りこの意味で用いる。
【００３４】
この空間の外壁側（家の外側）の境界には、構造合板等を併用した部材である透湿防水シートＢＳが張設されている。この透湿防水シートＢＳは防水性を有するものであり、外壁側から水が浸入しないようになっている。また、透湿防水シートＢＳは湿気を通すことができるものでもあり、断熱材が充填された空間内の湿気を外壁側に逃がすことで結露を防止できるようになっている。すなわち、この透湿防水シートＢＳによって内部に充填された断熱材が濡れて劣化してしまったり、カビが発生してしまうことを防ぐことができる。
【００３５】
一方、内壁側（家の内側）の境界には、通気性のある通気性ネットＮＥが張設される。
【００３６】
これらの構成によって、断熱材が充填される空間が仕切られ、断熱材をこの空間内に充填することができる。以下、断熱材を充填する手順について説明する。
【００３７】
図２は、断熱材を充填する空間が仕切られた様子を示す図である。
【００３８】
この図２（ａ）には、通気性ネットＮＥが張設されて空間ＳＰが仕切られた様子が示されている。ここでは、ガンタッカーを用いて針ＳＴを打ち出して通気性ネットＮＥを柱ＰＩに固定している。なお、図では省略しているが、通気性ネットＮＥの上端および下端もそれぞれ固定されている。また、図２（ｂ）には、断熱材を吹き出す装置（以下、ブローと称する）に接続されたホースＨＰが示されている。ブロー内にセットされた断熱材がこのホースＨＰを通って加圧送給空気とともに勢いよく吹き出される。図２（ａ）に示された通気性ネットＮＥの一部には孔ＨＯ１が開けられている。この孔は、ブローのホースＨＰを差し込むために切り込みを入れて開けられたものである。
【００３９】
図３は、断熱材が充填されている様子を示す断面図である。
【００４０】
この図には、断熱材が封入される空間ＳＰのうち土台ＢＡ側の一部が示されている。通気性ネットＮＥには、孔ＨＯ１を通してブローのホースＨＰが挿入され、その吹出口から断熱材ＩＮが加圧送給空気とともに空間ＳＰ内に吹き出されている。このとき吹き出された加圧送給空気は、通気性ネットＮＥを通って空間ＳＰの外に排出されるが、断熱材ＩＮの粒径は通気性ネットＮＥの網目よりも大きいため空間ＳＰ内から飛散することなく落下して土台ＢＡの上に積もる。この図３には、空間ＳＰ内を舞う断熱材ＩＮと、土台ＢＡの上に積もった断熱材ＩＮが示されている。
【００４１】
図４は、通気性ネットＮＥに開けた孔ＨＯ１まで断熱材ＩＮが積もった状態を示す図である。孔ＨＯ１の高さ近辺まで断熱材ＩＮが積もると、ブローホースＨＰを上方向に向け吹き上げ施工の手順となる。このとき、梁ＢＥまで断熱材ＩＮを充填できない場合もあり、かつ断熱材ＩＮに隙間が生じてしまう。このため、最初の孔ＨＯ１よりも高い位置に新たに孔ＨＯ２を開け、ホースＨＰをこの新たな孔ＨＯ２に挿入して断熱材ＩＮの封入作業を続ける。図４には、この新たな孔ＨＯ２が開けられた様子が示されている。
【００４２】
住宅の壁は、２７００ｍｍ前後が一般的である。孔ＨＯ１の１か所のみのブローイング施工では、初期に充填した断熱材ＩＮが自重により沈下したり、断熱材ＩＮが雪崩のように崩れてしまったり、あるいはネットＮＥが充填された断熱材ＩＮをしっかり保持することできずに隙間が発生してしまったりといった問題がある。このため、数か所の孔が必要となる。
【００４３】
図５は、断熱材ＩＮが空間ＳＰ内に充填された様子を示す図である。
【００４４】
この図には、断熱材ＩＮを充填するための孔が三か所開けられた様子が示されている（図中のＨＯ１〜ＨＯ３参照）。上記説明した方法に従って断熱材ＩＮは十分に空間ＳＰ内に充填されている。ここで、通気性ネットＮＥに重ねて防湿気密シートＰＳを張設する。この防湿気密シートＰＳは、室内外での湿害の発生を防止するためのものである。すなわち、外壁側と室内側の熱伝導を妨る断熱材ＩＮと、気流が流れ込むことによる結露等を妨げる防湿気密シートＰＳを用いることにより、断熱効果を維持することができる。この断熱材ＩＮおよび防湿気密シートＰＳが設置された後は、石膏ボードなどの様々な内壁材を設置して断熱効果のある壁とすることができる。
【００４５】
断熱材ＩＮを充填する際に防湿気密シートＰＳだけを使用すると、断熱材ＩＮを充填する際の加圧送給空気を排出させることが難しい。このため、ブローイング工法では、断熱材ＩＮを充填するために通気性のある通気性ネットＮＥを使用している。すなわち、通気性ネットＮＥと防湿気密シートＰＳの両方を張設しなくてはならないため、施工に手間がかかることになる。本発明の建築用シートは、この手間を軽減させるためのものである。以下、この建築用シートの実施形態について説明する。
【００４６】
図６は、本実施形態の建築用シートの外観を示す図である。
【００４７】
図６に示す建築用シート１は、本体シート１１と、この本体シート１１に接着部１４で接着された補助シート１３を備えている。この本体シート１１は本発明の保持部の一例に相当し、補助シート１３は本発明の覆い部の一例に相当する。本体シート１１および補助シート１３は、防湿性、気密性を有するポリエチレン製のもの（ＪＩＳ  Ａ  ６９３０−２００８に適合）であるが、他の素材（例えばアルミコーティングして遮熱機能を高めた防湿気密シート）であっても同等以上の防湿性、気密性、強度及び耐久性を有するものであればよい。本体シート１１は、補助シート１３が重ねられる右側の領域１１Ｒと、補助シート１３が重ねられない左側の領域１１Ｌとを有する。これらの右側の領域１１Ｒと左側の領域１１Ｌは同じ材料で一体に成形されたものである。本体シート１１の右側の領域１１Ｒには、通気用の孔が設けられた通気領域１２があり、この通気領域１２に補助シート１３を重ねることができるようになっている。なお、この通気領域１２が本発明の第２の領域の一例に相当し、本体シート１１のうちこの通気領域１２を除いた領域が本発明の第１の領域の一例に相当する。通気領域１２は縦帯状の領域であり、この通気領域１２が鉛直方向に延びる向きになるように建築用シート１が張設される。補助シート１３は、通気領域１２を含む本体シート１１の右側の領域１１Ｒに重ねられた状態で柱に重ねて固定できる領域を有することが好ましく、ここでは、本体シート１１の右端に長さを揃えて間柱に固定する領域を確保し、本体シート１１および補助シート１３が、相互に縦横とも３０ｍｍ以上柱に重なるようにしている。なお、張設場所に応じて適切な長さの建築用シート１を使用できるように、建築用シート１をロール状に形成してもよい。
【００４８】
図７は、本実施形態の建築用シートの構成を示す図である。
【００４９】
図７（ａ）には、図６に示す建築用シート１の正面図が示されている。ここでは、この建築用シート１の横幅を５５５ｍｍ強とする。このサイズにすることで多くの木造建築に対応することができる。以下その理由について説明する。
【００５０】
一般の木造鉄骨建築では、柱と柱の間に壁部材を固定するために間柱と呼ばれる建材が配置される。上記説明したブローイング工法は、この柱の間に断熱材を充填する工法である。木造建築では、柱や間柱が規格化され、かつ規格化された方法で施工されることが多い。例えば、規格化された間柱の横幅は３０〜５０ｍｍ程度である。また、これらの規格に基づき施工すると、間柱と間柱に挟まれた空間は横幅４１５〜４４０ｍｍ前後の空間となることが多い。同様に、柱と間柱に挟まれた空間の横幅も同様に３８０〜４００ｍｍ前後の空間となることが多い。建築用シート１の横幅を５５５ｍｍ強としたのは、これらの空間の横幅に加えて、左右を間柱および柱に留めるための留め代６０ｍｍ（間柱の横幅３０ｍｍ×２）、および多少のずれ等を考慮したためである。また、補助シート１３は、その横幅を本体シート１１の右端に合わせているため、間柱に留めるための留め代（３０ｍｍ強）を有することになる。
【００５１】
なお、建築用シート１の横幅は、この長さに限定されるものではなく、設計に応じた横幅のものとしてよい。また、ここでは通気領域１２の横幅は５０ｍｍであるが、特にこの幅に限定されるものではない。また、縦の長さについては特に制限はなく、以降の説明では十分な長さであって、断熱材を充填する空間の高さによって余計な部分を切り取って使用しているものとする。
【００５２】
図７（ｂ）には、図７（ａ）に示すＡ−Ａ線における断面が示されている。なお、この図には、建築用シート１が張設される位置を理解しやすくするため、柱ＰＩも併せて示されている。
【００５３】
この断面図には、本体シート１１とこの本体シート１１と一体に成っている補助シート１３が重なっている様子が示されている。この本体シート１１と補助シート１３が接着されている部分が接着部１４である。なお、接着の方法は限定されず、例えば接着剤によるものであってもよいし、熱溶着によるもの、強度と耐久性を有する接着方法、かつこれらを併用するものであってもよい。
【００５４】
図７（ｃ）には、通気領域１２に形成された孔１２１の形状を示す図である。ここでは、７ｍｍの直径の孔が、横幅５０ｍｍ、縦１００ｍｍの領域に対して３５個形成されている。すなわち、この孔の面積の合計は約１３４７ｍｍ２である。これに対して断熱材を仕切る領域が、横幅４５０ｍｍ、縦１００ｍｍの領域であるとすると、その面積は４５０００ｍｍ２（４５０ｍｍ×１００ｍｍ）である。すなわち、断熱材を仕切る面積に対して約３％の面積の孔が形成されていることになる。この孔の割合は、２．５％以上６．０％以下の範囲であることが好ましい。この割合が２．５％未満だと加圧送給空気を排出しにくくなり、６．０％より高いと充填された断熱材が室内に飛散して作業しにくくなる。なお、孔の形状に特に制限はなく、例えば半円の形状であってもよく、また、切り込みによるもの、ハーフカットによるものであってもよい。
【００５５】
なお、通気領域１２を構成する素材が、通気領域１２以外の領域を構成する素材と異なる素材であってもよい。例えば、防湿気密シートと、この防湿気密シートとは素材の異なる通気性に優れたシートを用意し、この通気性が優れたシートが通気領域１２となるようにこれらのシートを繋ぎ合わせて本体シート１１としてもよい。さらに、この通気性に優れたシートがメッシュ状（例えばネットや不織布等）であってもよい。
【００５６】
図８は、本実施形態の建築用シート１を使用している様子を示す図である。
【００５７】
図８（ａ）には、図１に示す空間（いろいろな寸法があるが、例えば横幅４５０ｍｍ）に建築用シート１を張設した様子が示されている。ここでは断熱材ＩＮを充填する空間を仕切るために、建築用シート１の左右をガンタッカーにより打ち出された針ＳＴで柱ＰＩ、梁ＢＥ、および土台ＢＡに固定する。より具体的には、補助シート１３が本体シート１１よりも室内側になるように、本体シート１１を柱ＰＩ、梁ＢＥ、および土台ＢＡの室内側の面に固定する。このとき、補助シート１３の端は固定せずにそのままにしておく。以上説明した建築用シート１を固定するステップは、本発明の張設ステップの一例に相当する。
【００５８】
図８には、建築用シート１の左右が針ＳＴで固定され、断熱材ＩＮを入れるための孔ＨＯ１が開けられた様子が示されている。なお、図では省略しているが、上端や下端も針ＳＴで固定されている。この状態から内部に断熱材ＩＮを充填する手順については、図２から図４を用いて説明した手順と同じであるため説明を省略する。ただし、孔ＨＯ１を開ける場所については、補助シート１３が重ねられる範囲に限定される点が異なる。また、補助シート１３が、通気領域１２からの加圧送給空気の排出を妨げないようにする必要がある。このため、例えば補助シート１３が通気領域１２に重ならないように、本体シート１１の左側１１Ｌにテープ等で軽く固定しておいてもよい。以上説明した断熱材ＩＮを充填するステップは、本発明の充填ステップの一例に相当する。
【００５９】
図８（ｂ）には、３つの孔ＨＯ１〜ＨＯ３をあけて断熱材ＩＮを充填し終えた様子が示されている。断熱材ＩＮを充填し終えたら、補助シート１３を通気領域１２側に重ねて針ＳＴで端を柱に固定する（本発明の密封ステップの一例に相当）。
【００６０】
図９は、本実施形態の建築用シート１を施工し終えた様子を示す図である。
【００６１】
上記説明したように、補助シート１３の横幅は、通気領域１２を含む本体シート１１の右側の領域１１Ｒに重ねられた状態で柱に重ねて固定できるように、本体シート１１の右端に合わせた長さ（３０ｍｍ強）にしている。すなわち、３０ｍｍ強の留め代を有するものである。図９には、補助シート１３が通気領域１２側に重ねられ、その右端が柱に重ねられて針ＳＴで固定された様子が示されている。なお、建築の基準では、継ぎ目部分はガンタッカーを用いて２００〜３００ｍｍ程度の間隔で留め、その他の個所は弛みやしわのないように張ることができるように要所を留める。なお、少ない数の針ＳＴで一旦仮留めしておき、後で設置される壁材（例えば石膏ボードや乾燥木材など）によってしっかりと固定されるものであってもよい。
【００６２】
上記説明した本実施形態の建築用シート１によれば、図１に示す通気性ネットＮＥおよび図５に示す防湿気密シートＰＳの２つのシートをそれぞれ張設する場合と比較して、少ない手間で張設および断熱材の充填をすることができる。また、断熱効果を犠牲にせずに、施工期間を短縮することができる。なお、上記説明では木造建築において施工する例について説明したが、本発明の建築用シ―トは建材の種類を限定するものではなく、例えば鉄骨に気密テープで固定して施工することもできる。
【００６３】
ここで、建築用シート１を用いて断熱材ＩＮを充填した場合、加圧送給空気を十分排出できるか否かが問題になる。加圧送給空気が十分排出できないと、吹き出し空気量等を抑えて施工しなくてはならず、時間がかかってしまうことになるからである。この問題について検証するため、発明者が行った実験の結果を図１０を用いて説明する。
【００６４】
図１０は、建築用シート１を使用した実験の結果を表で示す図である。
【００６５】
この実験は、一般的に断熱材が充填される空間として横幅５００ｍｍ、縦２０００ｍ、奥行き１００ｍの空間を想定し、この空間に建築用シート１を張設し、ロックウール、グラスウール、セルロースファイバーの各断熱材を充填した時の時間を計測したものである。さらに、充填された後に振動を加え、充填された断熱材が沈下して隙間が生じるか否かについても検証した。図１０には、縦方向に実験の回数が示されており、また、横方向には各実験毎に充填された断熱材の重量、施工時間、密度、および振動による沈下の有無が示されている。
【００６６】
この図に示すように、断熱材の充填は６７秒から１４３秒といった短い時間で完了する。断熱材の充填完了までの時間が短いことから、断熱材の充填時に加圧送給空気は十分排出され、施工の妨げにはならないと判断できる。さらに、その後の振動試験において沈下が確認できないことから、断熱材が隙間が生じない十分な密度で充填されていると判断できる。
【００６７】
上記説明では、壁に施工する場合を例について説明したが、本発明の建築用シートは、同様の方法で施工される箇所であれば、壁に限らず例えば屋根や床や界壁などに施工されるものであってもよい。
【００６８】
ここで、上記説明した建築用シートの変形例について説明する。
【００６９】
図１１は、本実施形態の建築用シートの変形例を示す断面図である。
【００７０】
図７（ｂ）に示すように上記説明した建築用シートは、通気領域１２を有する本体シート１１に、補助シート１３が接着された構成のものである。この通気領域１２を有する本体シート１１は柱と柱の間に張設されているが、本発明の建築用シートは通気領域を有するシートが柱と柱の間に張設されないものであってもよい。例えば、図１１（ａ）に示すように、柱と柱の間に張設される防湿気密シート２１の、断熱材が充填される側に、通気領域２２を有する通気シート２３が接着部２４で接着された構成の建築用シート２であってもよい。この防湿気密シート２１は、通気シート２３を覆う部分が本発明の覆い部の一例に相当し、この覆い部以外の部分が本発明の第１の領域に相当する。すなわち防湿気密シート２１は、本発明の第１シート体の一例に相当するものである。また、通気領域２２は、本発明の第２領域の一例に相当するものであり、通気シート２３は、第２シート体の一例に相当するものである。ここで、通気シート２３は複数のシート状部材からなるものであってもよく、例えば、図１１（ｂ）に示すように、通気領域２２を形成するネット状のシートと、防湿気密シート２３１を接着したものであってもよい。この図１１に示す建築用シート２によれば、例えば施工後に接着剤が劣化する等の要因で通気シート２３が防湿気密シート２１から剥がれた場合でも充填された断熱材を保持することができる。
【００７１】
さらに、上記説明した建築用シートの構成が連続する例について説明する。
【００７２】
図１２は、図１１とは異なる、建築用シートの変形例を示す断面図である。
【００７３】
これまで説明した建築用シートは、柱と柱（または間柱）の間の空間に張設されるものであったが、この建築用シートの構成が連続するようにして、柱等の建築部材を介して連続する複数の空間に跨って張設することができる建築用シートとしてもよい。例えば、図７（ｂ）に示す建築用シートを応用し、図１２（ａ）に示すように、複数の空間に跨ってそれぞれの空間に対して通気領域１２が設けられた１枚の本体シート１１を形成し、これらの通気領域１２に対応する補助シート１３をそれぞれ設けることによって、柱等の建築部材を介して連続する複数の空間に断熱材を充填できるようにしてもよい。すなわち、通気領域１２と補助シート１３の組合せが、この組合せの延在方向が平行になるように間隔をあけて複数設けられているものであればよい。例えば、図１２（ｂ）に示すように、図７（ｂ）に示す建築用シート１の補助シート１３が、隣接する建築用シート１の本体シート１１と一体になるように形成してもよい。
【００７４】
さらに、図１１に示す建築用シートの変形例の構成が連続するような構成としてもよい。例えば、図１２（ｃ）に示すように、図１１に示す建築用シート２の通気領域２２を有する通気シート２３が、隣接する建築用シート２の防湿気密シート２１と一体になるように形成してもよい。
【００７５】
以上の説明では、複数の柱が間隔をあけて立設された、建築物の外壁と内壁との間の空間において、外壁側に設けられた所定の仕切り（透湿防水シートＢＳ等）との間で、断熱材を吹き込むブロー空間（空間ＳＰ）を画定する建築用シートであって、前記複数の柱に固定される固定部（針ＳＴによって固定された部分）と、前記柱と柱をつなぐ仕切部（柱ＰＩの間に張設された部分）とを有し、前記仕切部が、前記断熱材を吹き込む際の気体を前記ブロー空間から屋内側に逃がす複数の通気口（孔１２１）が設けられた通気領域（図１１に示す通気領域２２）を有するものであり、さらに、前記通気領域を覆い該複数の通気口を塞ぐ覆い部（図１１に示す防湿気密シート２１のうち、通気シート２３を覆う部分）を有する建築用シートが記載されている。
【００７６】
また、前記固定部と前記覆い部と前記仕切部の、少なくとも前記通気領域を除く非通気領域（図１１に示す防湿気密シート２１のうち、通気シート２３を覆わない部分）とが、該通気領域よりも気密性が高い気密材料で一体に形成された建築用シートも記載されている。
【００７７】
さらに、前記覆い部は、前記他端が前記固定部に対して接離自在なものが記載されている。すなわち、前記覆い部が、該覆い部の一端が前記非通気領域に接着され、該一端から前記通気領域を通って他端が前記固定部に重なる位置まで延びたものであり、前記通気領域を覆った状態では前記他端が前記固定部に重なり（例えば図７および図１１参照）、該通気領域を覆っていない状態では該他端が前記固定部から離れたもの（図８参照）が記載されている。
【符号の説明】
【００７８】
１  建築用シート
１１  本体シート
１２  通気領域
１３  補助シート
１４  接着部
１２１  孔
２  建築用シート
２１  防湿気密シート
２２  通気領域
２３  通気シート
２４  接着部
【図１０】
2011256649.tif 000003
【図１】
2011256649.tif 000004
【図２】
2011256649.tif 000005
【図３】
2011256649.tif 000006
【図４】
2011256649.tif 000007
【図５】
2011256649.tif 000008
【図６】
2011256649.tif 000009
【図７】
2011256649.tif 000010
【図８】
2011256649.tif 000011
【図９】
2011256649.tif 000012
【図１１】
2011256649.tif 000013
【図１２】
2011256649.tif 000014